(57)【要約】      （修正有）【課題】首振り機能及び充電機能を備える屋外携帯扇風機を提供する。【解決手段】回転ベース１３が扇風機ヘッドと接続され、扇風機ヘッドは、扇風機トップハウジング１、扇風機ボトムハウジング２、扇風機羽根５、第１のモータ４、扇風機主制御基板７、リチウム二次電池９及び扇風機ハンドル１１を備える。扇風機トップハウジング１が扇風機ボトムハウジング２と接続され、第１のモータ４が扇風機ボトムハウジング２上に固定され、第１のモータ４が扇風機羽根と接続される。扇風機トップハウジング１と扇風機ボトムハウジング２との間に第１の装着チャンバが設けられ、扇風機主制御基板７及びリチウム二次電池９が第１の装着チャンバ内に固定される。リチウム二次電池９、第１のモータ４が扇風機主制御基板７と電気的に接続され、扇風機トップハウジング１及び扇風機ボトムハウジング２の底部が扇風機ハンドル１１上に挿設固定され、回転ベース１３上に第２の装着チャンバが設けられる。【選択図】図１
0003231822.tif 000002
【実用新案登録請求の範囲】
【請求項１】
分離可能に設けられた扇風機ヘッド及び回転ベースを備え、前記回転ベースが前記扇風機ヘッドと接続されており、前記扇風機ヘッドが扇風機トップハウジング、扇風機ボトムハウジング、扇風機羽根、第１のモータ、扇風機主制御基板、リチウム二次電池及び扇風機ハンドルを備え、前記扇風機トップハウジングが前記扇風機ボトムハウジングと接続されており、前記第１のモータが前記扇風機ボトムハウジング上に固定されており、前記第１のモータが前記扇風機羽根と接続されており、前記扇風機トップハウジングと前記扇風機ボトムハウジングとの間に第１の装着チャンバが設けられており、前記扇風機主制御基板及びリチウム二次電池がそれぞれ前記第１の装着チャンバ内に固定されており、前記リチウム二次電池、第１のモータがそれぞれ前記扇風機主制御基板と電気的に接続されており、前記扇風機トップハウジングおよび前記扇風機ボトムハウジングの底部が前記扇風機ハンドル上に挿設固定されており、前記回転ベース上には第２の装着チャンバが設けられており、前記第２の装着チャンバ内には回転手段、第２のモータ及び首振り主制御基板が設けられており、前記第２のモータが前記首振り主制御基板と電気的に接続されており、前記首振り主制御基板が前記リチウム二次電池と電気的に接続されており、前記第２のモータが前記回転手段を介して前記扇風機ハンドルと接続されていることを特徴とする、屋外携帯扇風機。
【請求項２】
前記扇風機ボトムハウジング上には扇風機横向き支持バーが設けられており、前記扇風機横向き支持バーが平面レイアウトとなっていることを特徴とする、請求項１に記載の屋外携帯扇風機。
【請求項３】
前記扇風機主制御基板にはスイッチアクセサリ及び扇風機スイッチボタンが接続されていることを特徴とする、請求項１に記載の屋外携帯扇風機。
【請求項４】
前記扇風機ハンドル内には充放電接続マザーボードが設けられており、前記リチウム二次電池が前記充放電接続マザーボードを介して前記首振り主制御基板と電気的に接続されていることを特徴とする、請求項１に記載の屋外携帯扇風機。
【請求項５】
前記回転手段は回転スリーブを備え、前記第２の装着チャンバ内にはモータブラケットが設けられており、前記第２のモータが前記モータブラケット上に固定されており、前記第２のモータが前記回転スリーブと接続されており、前記回転スリーブが前記扇風機ハンドルと接続されていることを特徴とする、請求項１に記載の屋外携帯扇風機。
【請求項６】
前記回転ベースの底部にはボトムカバーが接続されており、前記ボトムカバー上には滑り止めシリコンパッドが接続されていることを特徴とする、請求項１に記載の屋外携帯扇風機。
【請求項７】
前記回転ベース上には首振りスイッチボタンが設けられており、前記首振りスイッチボタンが前記首振り主制御基板と接続されていることを特徴とする、請求項１に記載の屋外携帯扇風機。
【請求項８】
前記扇風機ハンドルの底部にはＵＳＢソケットが設けられていることを特徴とする、請求項１に記載の屋外携帯扇風機。
【考案の詳細な説明】
【技術分野】
【０００１】
本考案は、扇風機に関し、特に屋外携帯扇風機に関する。
【背景技術】
【０００２】
従来の屋外携帯扇風機は、首振り機能及び充電機能を備えていない。
【考案の概要】
【０００３】
従来技術における問題を解決するために、本考案は、首振り機能及び充電機能を備える屋外携帯扇風機を提供する。
【０００４】
本考案は、分離可能に設けられた扇風機ヘッド及び回転ベースを備え、前記回転ベースが前記扇風機ヘッドと接続されており、前記扇風機ヘッドが扇風機トップハウジング、扇風機ボトムハウジング、扇風機羽根、第１のモータ、扇風機主制御基板、リチウム二次電池及び扇風機ハンドルを備え、前記扇風機トップハウジングが前記扇風機ボトムハウジングと接続されており、前記第１のモータが前記扇風機ボトムハウジング上に固定されており、前記第１のモータが前記扇風機羽根と接続されており、前記扇風機トップハウジングと前記扇風機ボトムハウジングとの間に第１の装着チャンバが設けられており、前記扇風機主制御基板及びリチウム二次電池がそれぞれ前記第１の装着チャンバ内に固定されており、前記リチウム二次電池、第１のモータがそれぞれ前記扇風機主制御基板と電気的に接続されており、前記扇風機トップハウジングおよび前記扇風機ボトムハウジングの底部が前記扇風機ハンドル上に挿設固定されており、前記回転ベース上には第２の装着チャンバが設けられており、前記第２の装着チャンバ内には回転手段、第２のモータ及び首振り主制御基板が設けられており、前記第２のモータが前記首振り主制御基板と電気的に接続されており、前記首振り主制御基板が前記リチウム二次電池と電気的に接続されており、前記第２のモータが前記回転手段を介して前記扇風機ハンドルと接続されている、屋外携帯扇風機を提供する。
【０００５】
本考案の更なる改進点として、前記扇風機ボトムハウジング上には扇風機横向き支持バーが設けられており、前記扇風機横向き支持バーが平面レイアウトとなっている。
【０００６】
本考案の更なる改進点として、前記扇風機主制御基板にはスイッチアクセサリ及び扇風機スイッチボタンが接続されている。
【０００７】
本考案の更なる改進点として、前記扇風機ハンドル内には充放電接続マザーボードが設けられており、前記リチウム二次電池が前記充放電接続マザーボードを介して前記首振り主制御基板と電気的に接続されている。
【０００８】
本考案の更なる改進点として、前記回転手段は回転スリーブを備え、前記第２の装着チャンバ内にはモータブラケットが設けられており、前記第２のモータが前記モータブラケット上に固定されており、前記第２のモータが前記回転スリーブと接続されており、前記回転スリーブが前記扇風機ハンドルと接続されている。
【０００９】
本考案の更なる改進点として、前記回転ベースの底部にはボトムカバーが接続されており、前記ボトムカバー上には滑り止めシリコンパッドが接続されている。
【００１０】
本考案の更なる改進点として、前記回転ベース上には首振りスイッチボタンが設けられており、前記首振りスイッチボタンが前記首振り主制御基板と接続されている。
【００１１】
本考案の更なる改進点として、前記扇風機ハンドルの底部にはＵＳＢソケットが設けられている。
【００１２】
本考案の有益な効果は、上記方案によって、首振り機能及び充電機能を備えていることである。
【図面の簡単な説明】
【００１３】
【図１】図１は本考案の屋外携帯扇風機の分解概略図である。
【考案を実施するための形態】
【００１４】
以下、図面及び具体的な実施形態を参照しながら本考案をさらに説明する。
【００１５】
図１に示すように、屋外携帯扇風機は、分離可能に設けられた扇風機ヘッド及び回転ベース１３を備え、前記扇風機ヘッドと回転ベース１３とが嵌合されており、前記回転ベース１３が前記扇風機ヘッドと接続されており、前記扇風機ヘッドは、扇風機トップハウジング１、扇風機ボトムハウジング２、回転軸３、扇風機羽根５、第１のモータ４、扇風機主制御基板７、リチウム二次電池９及び扇風機ハンドル１１を備え、前記扇風機トップハウジング１が前記扇風機ボトムハウジング２と接続されており、前記第１のモータ４が前記扇風機ボトムハウジング２上に固定されており、前記第１のモータ４が回転軸３を介して前記扇風機羽根５と接続されており、前記扇風機トップハウジング１と前記扇風機ボトムハウジング２との間に第１の装着チャンバが設けられており、前記扇風機主制御基板７およびリチウム二次電池９がそれぞれ前記第１の装着チャンバ内に固定されており、前記リチウム二次電池９、第１のモータ４がそれぞれ前記扇風機主制御基板７と電気的に接続されており、前記扇風機トップハウジング１及び前記扇風機ボトムハウジング２の底部が前記扇風機ハンドル１１上に挿設固定されており、前記回転ベース１３上には第２の装着チャンバが設けられており、前記第２の装着チャンバ内には回転手段、第２のモータ１６及び首振り主制御基板１７が設けられており、前記第２のモータ１６が前記首振り主制御基板１７と電気的に接続されており、前記首振り主制御基板１７が前記リチウム二次電池９と電気的に接続されており、前記第２のモータ１６が前記回転手段を介して前記扇風機ハンドル１１と接続されており、前記第２のモータ１６は、扇風機ヘッドの首振りを駆動し、首振り機能を実現するためであり、首振り主制御基板１７は、第２のモータ１６のオン・オフ及びリチウム二次電池９の充放電を制御し、充電機能を実現するためである。
【００１６】
図１に示すように、前記扇風機ボトムハウジング２上には扇風機横向き支持バーが設けられており、前記扇風機横向き支持バーが平面レイアウトとなっており、横向きで起動しても扇風機が勝手に移動しないことを実現できる。
【００１７】
図１に示すように、前記扇風機主制御基板７には扇風機標識、スイッチアクセサリ６及び扇風機スイッチボタン８が接続されており、扇風機標識が扇風機スイッチボタン８の近傍に位置している。
【００１８】
図１に示すように、前記扇風機ハンドル１１内には充放電接続マザーボード１０が設けられており、前記リチウム二次電池９が前記充放電接続マザーボード１０を介して前記首振り主制御基板１７と電気的に接続されている。
【００１９】
図１に示すように、前記回転手段は回転スリーブ１２を備え、前記第２の装着チャンバ内にはモータブラケット１５が設けられており、前記第２のモータ１６が前記モータブラケット１５上に固定されており、前記第２のモータ１６が前記回転スリーブ１２と接続されており、前記回転スリーブ１２が前記扇風機ハンドル１１と接続されており、前記回転スリーブ１２は、扇風機ヘッドを回転ベース１３上に固定して、扇風機ヘッドが首振る時に揺れ動かないよう保持するためである。
【００２０】
図１に示すように、前記回転ベース１３の底部にはボトムカバー１８が接続されており、前記ボトムカバー１８上に滑り止め機能を有する滑り止めシリコンパッド１９が接続されている。
【００２１】
図１に示すように、前記回転ベース１３上には首振りスイッチボタン１４が設けられており、前記首振りスイッチボタン１４が前記首振り主制御基板１７と接続されている。
【００２２】
図１に示すように、前記扇風機ハンドル１１の底部にはＵＳＢソケットが設けられており、前記回転ベース１３上にはＵＳＢプラグ２０が設けられており、ＵＳＢプラグ２０が前記首振り主制御基板１７と接続されている。
【００２３】
図１に示すように、第１のモータ４は、ブラシレスモータであることが好ましく、扇風機主制御基板７は、扇風機全体のコア電流主制御基板であり、オン、オフ、段階切替えを制御するためである。
【００２４】
本考案が提供する屋外携帯扇風機（以下、扇風機と略称）は、下記の利点を有する。
【００２５】
１：カバン、ポケットに入れて携帯することができ、どこに行っても利用可能であり、リチウム電池が内蔵されて、使用、連続稼働時間が８時間と長く、屋外携帯扇風機に紐を付けることができ、子供の首に掛けることができ、より便利である。
【００２６】
２：会社又は家に帰って、扇風機ヘッドを回転ベース１３上に挿入すると、家庭用卓上扇風機として使用可能となり、風力が５Ｍ／ｓに達することができるのに対し、家庭用卓上扇風機は風力が３Ｍ／Ｓだけであり、そして、消音効果が５０ｄＢのみであり、家庭用卓上扇風機を遥かに下回っており、回転ベース１３上にまた首振り機能及び充電機能を実現することができる。
【００２７】
３：扇風機ヘッドを回転ベース１３に挿入すると、回転ベース１３には第２のモータ１６、内部支持固定部材、及び首振り主制御基板１７が内蔵されているため、リチウム二次電池９によって第２のモータ１６へ電力供給して、首振り機能を実現することができる。
【００２８】
４：扇風機ヘッド上にはパイロットランプが設けられており、リチウム二次電池９の電気量は４つのランプによって表示され、１つ当たり２５％の電気量を表し、４つのランプが全て点灯している場合は１００％の電気量を表し、３つの場合は７５％の電気量を表し、２つの場合は５０％の電気量を表し、１つの場合は２５％の電気量を表し、全て消灯している場合は電気量が０であることを表し、実現方法は扇風機の扇風機主制御基板７によってリチウム二次電池９の電圧及び電流を検出し、換算して、その後、各々のランプの表示状態を制御することであり、しかしながら、従来の他の扇風機が全て電気量認識機能を有さず、このようにしてユーザの使用感を大幅に向上させた。
【００２９】
５：扇風機は、充電機能を有し、扇風機に電気量がなくなると、ＭＲＩＣＯデータケーブルを扇風機ハンドル１１の底部に挿入すれば充電可能となり、同時に、扇風機はテーブル表面に横向きになっても扇風機の送風機能を使用し続けることができ、データケーブルがテーブル表面上に非常に平坦に横向きとなり、データケーブルのプラグが高く跳ね上がって美しさを損なうことはなく、そして、扇風機は摺動も転倒もせず、扇風機のテーブル表面との摩擦力が増加され、市販されている他の製品の充電ケーブルが足手まといとなる問題及び美観性の問題を解決した。
【００３０】
６：扇風機を起動するには、オンボタンを３秒長押しする必要があり、これは、扇風機の扇風機主制御基板７によってボタンの出発時間を算出したものであり、このようにして従来の多くの扇風機が搬送途中で、ユーザのカバンの中、ポケットの中で意図せずに触れたことで起動して、危険を引き起こす問題及び電池の寿命と電池の容量が低下する問題を解決した。
【００３１】
７：回転ベース１３への電力供給が頂部の扇風機ヘッドにより提供され、扇風機ヘッド中にはリチウム二次電池９が内蔵されており、扇風機ヘッドが回転ベース１３に挿入されると、扇風機主制御基板７が５Ｖに昇圧した後、扇風機主制御基板７の出力回路を経過してＵＳＢソケットを介して回転ベース１３のＵＳＢプラグ２０にアクセスし、ＵＳＢスモールボードから首振り主制御基板１７に接続し、回転ベース１３が５Ｖ電圧を得、首振り主制御基板１７はさらに主制御回路によって電圧及び制御コマンドが処理された後、第２のモータ１６へ出力すれば、首振り／位置決め制御機能を実現することができ、空気の流れの快適さ及びより多くの消費者が同時に使用する時の使用感を増加させることができ、従来の携帯扇風機が屋外携帯のみに限られて静的状態では使用できない問題及び首振り機能がない問題を解決した。
【００３２】
８：扇風機主制御基板７上のブーストチップの入力及び出力が同一ピンを共用し、ＵＳＢが挿入される前に、ブーストチップが出力昇圧モードにあり、回転ベース１３にＵＳＢ  ５Ｖが挿入されると、扇風機ブーストチップは５Ｖの入力を検出し、自動的に充電モード（入力モード）に切り換え、この時、ＵＳＢが充電チップによって扇風機を充電し、同時に、回転ベース１３へ電力供給し、回転ベース１３が電圧を得た後、回転機能を実現することとなり、この機能が携帯電話のＯＴＧ機能に類似し、すなわち、入力充電可能であるし、外部へ電力供給することもでき、このようにしてどのような状態でも、消費者は首振り機能を非常に便利に使用しながら携帯扇風機を充電することができ、ユーザーフレンドリーな設計及び使用感を向上させた。
【００３３】
９：扇風機ボトムハウジング２の３本の扇風機横向き支持バーがテーブル表面と平行な方向であり、扇風機ハンドル１１の後端部と係合してテーブル表面に接触し、接触面積が７．２平方センチメートルであり、その重量及び摩擦力は扇風機が回転する時の後方への推進反力を遥かに上回り、この時、扇風機は、テーブル表面に横向きになってもよく、扇風機が最大風力となった場合でも摺動、転倒することなく、従来の扇風機がテーブル表面に横向きになると、摺動して固定できない問題を解決した。
【００３４】
１０：扇風機がオンの時にボタンの位置に１つの扇風機標識が点灯し、オフの時に扇風機標識が消灯し、オン状態の認識度及び美しさを増加させ、一般の扇風機がオンの時に１つのランプしか点灯しない、ひいてはオン・オフ標識機能がない問題を解決した。
【００３５】
以上の内容は、具体的な好ましい実施形態を参照しながら本考案をさらに詳しく説明するものであり、本考案の具体的な実施がこれらの説明に限られるものではない。本考案の所属する技術分野の一般技術者にとって、本考案の構想を逸脱しない限り、さらに幾つかの簡単な推断演繹又は変更を行うことができ、いずれも本考案の保護範囲に属すると見なされる。
【図１】
0003231822.tif 000003